(57)【要約】    【課題】  撮像装置の小型化を図るとともに、各種電気部品の回路基板への適切な接続を実現する。    【解決手段】  撮影フレームの長辺部が水平、短辺部が垂直になるように撮影者が撮像装置を構えたときの垂直方向を撮像装置の上下方向、撮影者からみた左右方向を撮像装置の左右方向、撮像装置の被写体側を前面側、撮影者側を背面側とする撮像装置において、回路基板２は、上下端が外装１の内壁の近傍までそれぞれ延び、鏡筒ユニット３は回路基板２の前面側の左側に配置され、電池５、メディアコネクタ８およびメインコンデンサ４は、回路基板２の前面側の右側に配置され、表示ユニット６は回路基板２の背面側の左側に配置され、操作スイッチ７は回路基板２の背面側の右側に配置される。【選択図】      図１
2007028323.tif 000002
【特許請求の範囲】
【請求項１】
撮影フレームの長辺部が水平、短辺部が垂直になるように撮影者が撮像装置を構えたときの垂直方向を撮像装置の上下方向、撮影者からみた左右方向を撮像装置の左右方向、撮像装置の被写体側を前面側、撮影者側を背面側とする撮像装置において、
上下端が外装の内壁の近傍までそれぞれ延びた回路基板と、
前記回路基板の前面側の左側に配置された鏡筒ユニットと、
前記回路基板の前面側の右側に配置された電池、メディアコネクタおよびメインコンデンサと、
前記回路基板の背面側の左側に配置された表示ユニットと、
前記回路基板の背面側の右側に配置された操作スイッチと
を有することを特徴とする撮像装置。
【請求項２】
前記電池と前記メディアコネクタとは、前記回路基板の前面側の右側の下側に、光軸方向において重なるように配置され、前記メインコンデンサは、前記回路基板の前面側の右側の上側に配置されることを特徴とする請求項１記載の撮像装置。
【請求項３】
前記表示ユニットと前記操作スイッチとは、光軸方向において重ならないように配置されることを特徴とする請求項１記載の撮像装置。
【請求項４】
前記電池と前記メインコンデンサとは、前記回路基板の前面側の右側において上下方向に重なって配置され、
前記回路基板の上下方向のサイズは、前記鏡筒ユニットの上下方向のサイズと、前記電池および前記メインコンデンサの上下方向に重なったサイズとのうち大きい方のサイズに応じて決まることを特徴とする請求項１記載の撮像装置。
【請求項５】
前記メディアコネクタは、前記回路基板の前面側の右側において前記回路基板に実装され、前記回路基板の右端が前記外装の内壁の近傍まで延びており、
前記回路基板の前面側の右側に配置された外部インターフェースと、
前記回路基板の前面側の左側に配置された内部インターフェースと
を更に有することを特徴とする請求項１記載の撮像装置。
【請求項６】
前記回路基板の左端と前記外装の内壁との間には隙間が設けられ、
前記回路基板の前面側の左側において前記回路基板に実装された内部インターフェースと、
前記隙間を通過して、前記鏡筒ユニットと前記内部インターフェースとを接続するフレキシブル基板と
を更に有することを特徴とする請求項１記載の撮像装置。
【発明の詳細な説明】
【技術分野】
【０００１】
本発明は、撮像装置に関し、特に、多機能化かつ小型化された主に静止画像を撮影するためのディジタル方式の撮像装置に関する。
【背景技術】
【０００２】
主に静止画像を撮影するためのディジタル方式の従来の撮像装置では、１枚の回路基板の前面（被写体側）に鏡筒ユニット、ストロボユニット、メインコンデンサ、メディアコネクタが配置され、回路基板の背面（撮影者側）に液晶モニタが配置されていた（例えば、特許文献１参照）。
【特許文献１】特開平１６−３２０６１５号公報
【発明の開示】
【発明が解決しようとする課題】
【０００３】
しかしながら、上記従来の撮像装置では、以下のような問題点があった。
【０００４】
すなわち、従来の撮像装置では、高撮影倍率化や手ぶれ補正機能搭載などの鏡筒ユニットの高機能化・高性能化に伴い、鏡筒ユニット内にセンサ部品やモータを備えることが必要になり、鏡筒ユニットが大型化し、その結果、撮像装置が大型化する傾向があった。また、鏡筒ユニット内の電気部品を回路基板に接続する難しさもあった。
【０００５】
また、撮像装置の高倍率化に伴い、光軸に対する撮像素子受光面の高い位置精度が求められるため、撮像素子受光面の位置調整機構が必要になり、撮像素子を回路基板に実装することが難しくなっていた。
【０００６】
また、大型化した鏡筒ユニットと電池とが上下方向（撮像装置を、撮影フレームの長辺部が水平、短辺部が垂直になるように構えたときの短辺部の方向）に重なって配置されると、撮像装置が上下方向に大型化してしまう。
【０００７】
本発明はこのような問題点に鑑みてなされたものであって、小型化を図るとともに、各種電気部品の回路基板への適切な接続を実現した撮像装置を提供することを目的とする。
【課題を解決するための手段】
【０００８】
上記目的を達成するために、請求項１記載の発明によれば、撮影フレームの長辺部が水平、短辺部が垂直になるように撮影者が撮像装置を構えたときの垂直方向を撮像装置の上下方向、撮影者からみた左右方向を撮像装置の左右方向、撮像装置の被写体側を前面側、撮影者側を背面側とする撮像装置において、上下端が外装の内壁の近傍までそれぞれ延びた回路基板と、前記回路基板の前面側の左側に配置された鏡筒ユニットと、前記回路基板の前面側の右側に配置された電池、メディアコネクタおよびメインコンデンサと、前記回路基板の背面側の左側に配置された表示ユニットと、前記回路基板の背面側の右側に配置された操作スイッチとを有することを特徴とする撮像装置が提供される。
【発明の効果】
【０００９】
本発明によれば、上記のように撮像装置内部に各ユニットを配置することで、撮像装置の上下方向サイズを、外形サイズの最も大きい鏡筒ユニットまたは上下方向に重なった電池とメインコンデンサとのサイズまで抑えることができ、撮像装置の小型化が実現する。
【００１０】
また、回路基板の左端と外装の内壁との間に隙間を設け、該隙間を通過して、鏡筒ユニットと回路基板に接続された内部インターフェースとを接続するフレキシブル基板を設ける。これにより、各種電気部品と回路基板との間の適切な接続が実現できる。
【００１１】
また、回路基板は左端を除き撮像族装置の外装の内壁近傍まで延ばすことができるので、回路基板上に各種部品を比較的自由にレイアウトすることが可能となり、回路基板の設計の自由度が向上する。
【００１２】
また、メインコンデンサやメディアコネクタや電池などの大型の部品を、回路基板の前面に集中する。これにより、回路基板の背面において、表示ユニットを除いた領域に複数の操作スイッチ類を自由に配置することが可能となり、操作性の優れたスイッチレイアウトを実現することができる。また、操作スイッチと表示ユニットとを光軸方向に重ねて配置しないことで撮像装置の光軸方向の薄型化が可能となる。
【００１３】
また、外部インターフェース及びメディアコネクタを撮影装置の右側に集中して配置する。これにより、回路基板に外部インターフェース及びメディアコネクタを直接実装することができ、回路基板に搭載される部品点数を削減でき、また記憶メディアや外部接続ケーブルの挿抜の操作性を向上させることができる。
【発明を実施するための最良の形態】
【００１４】
以下、本発明を実施するための最良の形態について、図面を参照して説明する。
【００１５】
図１は、本発明の一実施の形態に係る撮像装置を上面から見た部品配置図である。なお以下の説明において、撮像装置を、撮影フレームの長辺部が水平、短辺部が垂直になるように構えたときに上となる面を撮像装置の上面とし、撮影者からみて撮像装置の左側を左側面、右側を右側面とする。また、撮像装置の被写体側（図１における下側）を前面、撮影者側（図１における上側）を背面とする。この撮像装置は、主に静止画像を撮影するためのディジタル方式の電子カメラである。
【００１６】
図２は、リアカバーを除いた撮像装置を右斜め後（背面）から見た斜視図であり、図３は、外装を全て除いた撮像装置を右斜め前（前面）から見た斜視図である。以下、図１〜図３を適宜参照しながら説明する。
【００１７】
撮像装置は、フロントカバー１ａとリアカバーの外装１で覆われており、撮像装置内部は、回路基板２、ファインダ部３ａ、複数のレンズ群３ｂから構成される鏡筒ユニット３、ストロボ発光部４ａ、メインコンデンサ４、電源である２本の単三電池５、液晶パネル及びバックライトから構成される表示ユニット６、十字キー７ａやモードダイヤル７ｂなどからなる操作スイッチ７から構成される。
【００１８】
回路基板２によって実現される機能としては、回路各部を統括制御するシステム部、撮像素子からの出力信号をＡ／Ｄ変換する撮像信号処理部、電池５からの出力電圧を各種電圧に変換する電源部、液晶パネル及びバックライトを駆動するための表示部、ストロボの発光を制御するストロボ部がある。なおシステム部は、ＣＰＵやメモリなどのハードウェアによって構成されている。
【００１９】
また、回路基板２には、メディアコネクタ８、ＵＳＢジャックコネクタ９ａおよびＤＣジャックコネクタ９ｂからなる外部インターフェース９、内部インターフェースであるＦＰＣコネクタ１０ａ、メインコンデンサ４が実装される。
【００２０】
次に、撮像装置内部の各ユニットの配置を説明する。
【００２１】
回路基板２の前面には、撮影者側（背面側）から見て左側に鏡筒ユニット３を配置し、右側の下にはメディアコネクタ８を配置する。メディアコネクタ８は、前述のように回路基板２に実装される。２本の単三電池５は、各長さ方向が撮像装置の左右方向と一致し、各々が撮像装置の上下方向に並ぶように位置し、メディアコネクタ８と光軸方向において重なるように配置する。外部インターフェース９（ＵＳＢジャックコネクタ９ａおよびＤＣジャックコネクタ９ｂ）は、メディアコネクタ８の上側で、撮影者側（背面側）から見て右側に配置する。電池５の上には、回路基板２に実装されたメインコンデンサ４を配置する。回路基板２の背面には、左側に表示ユニット６を配置し、その右側に操作スイッチ７を配置する。
【００２２】
鏡筒ユニット３はセンサ部品やモータ（図示せず）を備え、これらにフレキシブル基板１０ｂの一端が接続され、該フレキシブル基板１０ｂの他端は、回路基板２の左側に配置されたＦＰＣコネクタ１０ａに接続される。また、撮像素子（図示せず）が、鏡筒ユニット３の光軸に対する受光面の位置および角度の調整を行えるように、フレキシブル基板（図示せず）に実装される。該フレキシブル基板は、鏡筒ユニット３のフレキシブル基板１０ｂと同様に、回路基板２の左側に配置されたＦＰＣコネクタ１０ａに接続される。なお、撮像素子がフレキシブル基板１０ｂに実装される構成でもよい。
【００２３】
回路基板２のサイズに関して、上下方向は撮像装置の外装１の内側に収まる最大サイズとし、回路基板２の右端は、外部インターフェース９及びメディアコネクタ８を実装できるようにするため、外装１の内面近傍まで延びている。一方、回路基板２の左端は外装１の内面までは延びておらず、外装１の内面との間に隙間を設けている。この隙間を通して、鏡筒ユニット３用のフレキシブル基板１０ｂや撮像素子用のフレキシブル基板を、回路基板２の前面から背面に導いて、回路基板２上のＦＰＣコネクタ１０ａに接続できるようにしている。なお、回路基板２の上下方向のサイズは、鏡筒ユニット３の上下方向のサイズ（直径）および重なった電池５とメインコンデンサ４との上下方向のサイズのうち大きい方のサイズに応じて決まる。
【００２４】
以上のように、撮像装置内部の空間に各ユニットを効率良く配置することで、外形サイズの最も大きい鏡筒ユニット３が収容され得る最小サイズまで撮像装置の上下方向サイズを抑えることができ、撮像装置の小型化が可能である。また、回路基板２は左端を除き、各端部が撮像装置外装１の内壁に接触するサイズにすることができ、回路基板２の設計自由度が向上する。また、メインコンデンサ４やメディアコネクタ８や電池５などの大型の部品を回路基板２の前面側に集中配置することで、回路基板２の背面側においては表示ユニット６を除いた領域に、十字キー７ａやモードダイヤル７ｂなどからなる操作スイッチ７を自由に配置することが可能となり、操作性の優れたスイッチレイアウトを実現することができる。また、操作スイッチ７と表示ユニット６とを光軸方向に重ねて配置しないことで撮像装置の薄型化が可能となる。
【００２５】
また、外部インターフェース９及びメディアコネクタ８を撮影装置の右側面に集中することで、回路基板２に外部インターフェース９及びメディアコネクタ８を直接実装することができ、これによって回路基板２に実装される部品点数を削減でき、且つ記憶メディアや外部接続ケーブルの挿抜の操作性が向上する。また、ＦＰＣコネクタ１０ａ（内部インターフェース）を撮影装置の左側面に配置し、回路基板２と撮像装置外装１の内壁との間に隙間を設けることで、鏡筒ユニット３接続用のフレキシブル基板１０ｂや撮像素子実装用のフレキシブル基板を該隙間に通して回路基板２に接続することができ、回路基板２の設計の自由度が向上し、各種電気部品の回路基板への適切な接続が実現する。
【図面の簡単な説明】
【００２６】
【図１】本発明の一実施の形態に係る撮像装置を上面から見た部品配置図である。
【図２】リアカバーを除いた撮像装置を右斜め後（背面）から見た斜視図である。
【図３】外装を全て除いた撮像装置を右斜め前（前面）から見た斜視図である。
【符号の説明】
【００２７】
１  外装
１ａ  フロントカバー
２  回路基板
３  鏡筒ユニット
３ａ  ファインダ部
３ｂ  レンズ群
４  メインコンデンサ
４ａ  ストロボ発光部
５  電池
６  表示ユニット
７  操作スイッチ
７ａ  十字キー
７ｂ  モードダイヤル
８  メディアコネクタ８
９  外部インターフェース
９ａ  ＵＳＢジャックコネクタ
９ｂ  ＤＣジャックコネクタ
１０ａ  ＦＰＣコネクタ
１０ｂ  フレキシブル基板
【図１】
2007028323.tif 000003
【図２】
2007028323.tif 000004
【図３】
2007028323.tif 000005